(57)【要約】【課題】短時間で合理的な布設工事ができるケーブルダクトの施工方法及びケーブルダクト装置を提供する。【解決手段】スラブＰ下面に固定された一対の吊りボルト１に吊杆部材２を装着する。該吊杆部材２に連結されたケーブルＱを下方からケーブルダクト３にて囲む。該ケーブルダクト３から梁Ｒの垂直面に布設するケーブルダクト３の施工方法。梁Ｒ側面上部に固定される上部ダクト体１１と梁Ｒ側面下部に固定される下部ダクト体１２とからなる梁巻きダクト１０にて、梁Ｒの垂直側面に沿って配線されたケーブルＱを側面から囲む。該梁巻きダクト１０の下部ダクト体１２を上下スライド自在に装着する。【選択図】図８
2004305000.tif 000002
【特許請求の範囲】
【請求項１】
スラブ下面に固定された一対の吊りボルトに吊杆部材を装着し、該吊杆部材に連結されたケーブルを下方からケーブルダクトにて囲み、該ケーブルダクトから梁の垂直面に布設するケーブルダクトの施工方法において、梁側面上部に固定される上部ダクト体と梁側面下部に固定される下部ダクト体とからなる梁巻きダクトにて、梁の垂直側面に沿って配線されたケーブルを側面から囲み、該梁巻きダクトの下部ダクト体を上下スライド自在に装着することを特徴とするケーブルダクトの施工方法。
【請求項２】
スラブ下面に固定された一対の吊りボルトに吊杆部材を装着し、該吊杆部材に連結されたケーブルを下方からケーブルダクトにて囲み、該ケーブルダクトから梁の垂直面に布設するケーブルダクト装置において、スラブ下面に固定された一対の吊りボルトに装着する吊杆部材と、該吊杆部材に連結されたケーブルを下方から囲むケーブルダクトと、該ケーブルダクトを下方から保持して吊りボルトに固定する吊り金具と、梁の垂直側面に沿って配線されたケーブルを側面から囲む梁巻きダクトとを形成し、該梁巻きダクトは、梁側面上部に固定される上部ダクト体と、梁側面下部に固定される下部ダクト体とからなり、上部ダクト体に下部ダクト体を上下スライド自在に設けたことを特徴とするケーブルダクト装置。
【請求項３】
スラブ下面に固定された一対の吊りボルトに吊杆部材を装着し、該吊杆部材に連結されたケーブルを下方からケーブルダクトにて囲み、該ケーブルダクトから梁の垂直面に布設するケーブルダクトの施工方法において、梁の下に設けたアンカーボルトにて梁下にケーブルダクトを直接固定し、前記スラブ下面のケーブルダクト開放端部から梁下面のケーブルダクトまでの角度に合わせて上下ベンドダクトを布設することを特徴とするケーブルダクトの施工方法。
【請求項４】
前記上下ベンドダクトとケーブルダクトとの連結は、アウトサイドベンド継金具と、インサイドベンド継金具とを使用し、前記前記スラブ下面のケーブルダクト開放端部から梁下面のケーブルダクトまでの角度に合わせて連結する請求項３記載のケーブルダクトの施工方法。
【発明の詳細な説明】
【技術分野】
【０００１】
本発明は、例えば集合住宅の開放通路天井など、スラブ下面にケーブルダクトを布設する際に好適なケーブルダクトの施工方法及びケーブルダクト装置に関する。
【背景技術】
【０００２】
集合住宅の開放通路天井などにケーブルダクトを布設する条件として、通行人の歩行の妨げにならない高さに設置することや、鳩などが入り込まないように天井面との隙間を小さくするといった鳥害防止の目的などがある。
【０００３】
そこで、これまでのケーブルダクト布設工事では、スラブ下面にアンカー止めされた吊りボルトにケーブルダクトを仮止めし、このケーブルダクト内にケーブルを配線した後に、ケーブルダクトの位置を吊りボルトの上方に移動させるといった工事が行われている。
【特許文献１】なし
【発明の開示】
【発明が解決しようとする課題】
【０００４】
従来の配線工事では、ケーブルダクトの内部に配線する工事であったので、ケーブルダクトの仮止め工事の後でなければケーブルを布設することができないといった不都合が生じていた。
【０００５】
さらに、ケーブルを配線した後に、仮り止め位置からケーブルダクトを吊り上げて正規のレベル位置に調整する作業が必要であり、２度手間となっていた。
【０００６】
また、仮り止め位置から正規の位置にケーブルダクトを吊り上げた後は、吊りボルトがケーブルダクトの固定位置から下方に長く突出することになる。従来の工事では、この余分な吊りボルトを切断除去する作業も要し、このような作業も工期を遅延化する原因になっていた。
【０００７】
そこで本発明は上述の課題を解消すべく創出されたもので、短時間で合理的な布設工事ができるケーブルダクトの施工方法及びケーブルダクト装置の提供を目的とするものである。
【課題を解決するための手段】
【０００８】
上述の目的を達成すべく本発明の第１の手段における施工方法は、スラブＰ下面に固定された一対の吊りボルト１に吊杆部材２を装着し、該吊杆部材２に連結されたケーブルＱを下方からケーブルダクト３にて囲み、該ケーブルダクト３から梁Ｒの垂直面に布設するケーブルダクト３の施工方法において、梁Ｒ側面上部に固定される上部ダクト体１１と梁Ｒ側面下部に固定される下部ダクト体１２とからなる梁巻きダクト１０にて、梁Ｒの垂直側面に沿って配線されたケーブルＱを側面から囲み、該梁巻きダクト１０の下部ダクト体１２を上下スライド自在に装着することにある。
【０００９】
第２の手段におけるケーブルダクト装置は、スラブＰ下面に固定された一対の吊りボルト１に吊杆部材２を装着し、該吊杆部材２に連結されたケーブルＱを下方からケーブルダクト３にて囲み、該ケーブルダクト３から梁Ｒの垂直面に布設するケーブルダクト装置において、スラブＰ下面に固定された一対の吊りボルト１に装着する吊杆部材２と、該吊杆部材２に連結されたケーブルＱを下方から囲むケーブルダクト３と、該ケーブルダクト３を下方から保持して吊りボルト１に固定する吊り金具４と、梁Ｒの垂直側面に沿って配線されたケーブルＱを側面から囲む梁巻きダクト１０とを形成し、該梁巻きダクト１０は、梁Ｒ側面上部に固定される上部ダクト体１１と、梁Ｒ側面下部に固定される下部ダクト体１２とからなり、上部ダクト体１１に下部ダクト体１２を上下スライド自在に設けたものである。
【００１０】
第３の手段における施工方法は、スラブＰ下面に固定された一対の吊りボルト１に吊杆部材２を装着し、該吊杆部材２に連結されたケーブルＱを下方からケーブルダクト３にて囲み、該ケーブルダクト３から梁Ｒの垂直面に布設するケーブルダクトの施工方法において、梁Ｒの下に設けたアンカーボルト１３にて梁Ｒ下にケーブルダクト３を直接固定し、前記スラブＰ下面のケーブルダクト３開放端部から梁Ｒ下面のケーブルダクト３までの角度θに合わせて上下ベンドダクト２０を布設する。
【００１１】
第４の手段における施工方法は、前記上下ベンドダクト２０とケーブルダクト３との連結は、アウトサイドベンド継金具２０Ａと、インサイドベンド継金具２０Ｂとを使用し、前記前記スラブ下面のケーブルダクト開放端部から梁下面のケーブルダクトまでの角度に合わせて連結することを課題解消のための手段とする。
【発明の効果】
【００１２】
本発明は、上述の如く構成したことにより、当初の目的を達成する。
【００１３】
すなわち、請求項１、２に記載されたケーブルダクトの施工方法及びケーブルダクト装置により、梁Ｒの高さに合わせて梁巻きダクト１０の長さを自由に調整することができる。
【００１４】
また、請求項３、４に記載のケーブルダクトの施工方法によると、短時間で合理的な布設工事ができるものである。
【００１５】
このように本発明によると、短時間で合理的な布設工事ができ、梁の高さに合わせて梁巻きダクトの長さを自由に調整することができるなどといった有益な種々の効果を奏するものである。
【発明を実施するための最良の形態】
【００１６】
本発明を実施するための最良の形態は、スラブＰ下面に固定された一対の吊りボルト１に吊杆部材２を装着し、該吊杆部材２に連結されたケーブルＱを下方からケーブルダクト３にて囲み、該ケーブルダクト３から梁Ｒの垂直面に布設するケーブルダクト装置において、スラブＰ下面に固定された一対の吊りボルト１に装着する吊杆部材２と、該吊杆部材２に連結されたケーブルＱを下方から囲むケーブルダクト３と、該ケーブルダクト３を下方から保持して吊りボルト１に固定する吊り金具４と、梁Ｒの垂直側面に沿って配線されたケーブルＱを側面から囲む梁巻きダクト１０とを形成し、該梁巻きダクト１０は、梁Ｒ側面上部に固定される上部ダクト体１１と、梁Ｒ側面下部に固定される下部ダクト体１２とからなり、上部ダクト体１１に下部ダクト体１２を上下スライド自在に設けたケーブルダクト装置にある。
【実施例】
【００１７】
以下、図面を参照して、本発明を詳細に説明する。
【００１８】
本発明ケーブルダクトの施工方法は、ケーブル先行配線工程と、ダクト装着工程と、ダクト布設工程とからなる。
【００１９】
ケーブル先行配線工程は、スラブＰ下面に固定した一対の吊りボルト１に吊杆部材２を装着し、この吊杆部材２にケーブルＱを連結する工程である（図１参照）。この工程では、まず、スラブＰ下面に埋設された固定アンカー１Ａに吊りボルト１を連結し、この吊りボルト１に、座金１Ｂ、ナット１Ｃを使用して吊杆部材２を固定する（同図イ参照）。この吊杆部材２の厚みは、最終的にケーブルダクト３を布設した後のケーブルダクト３とスラブＰとの隙間となる。そこで、従来工法では、この隙間を約50mmとしているが、本発明施工方法では、45mm厚の吊杆部材２を使用する。この寸法は、鳩の侵入を防止するのに効果的であり、しかも、この隙間から各戸へケーブルＱを取り出すことも可能になっている。次に、下側面が開口した吊杆部材２の開口部２Ａにケーブル結束具５を装着する（同図ロ参照）。図示の吊杆部材２はリップ溝形鋼を使用している（図５参照）。そして、リップ部に挿入係止する係止具５Ａと、ケーブルＱを結束するナイロンバンド５Ｂとからなるケーブル結束具５を装着し、このケーブル結束具５にケーブルＱを結束して吊杆部材２に固定する（同図ハ参照）。このように、リップ溝形鋼のリップ部を使用することで、ケーブルＱの先行配線作業を簡単にすることができる。また、吊杆部材２の上面に僅かな隙間を設け、この隙間から吊杆部材２に巻きつけたナイロンバンド５ＢでケーブルＱを結束することも可能であり（図示せず）、他の各種ケーブル結束具を任意に選択することが可能である。
【００２０】
図２は、ダクト装着工程を示す。この工程は、先行配線されたケーブルＱをケーブルダクト３で下方から囲むように配置し、このケーブルダクト３を、吊り金具４で吊りボルト１に固定する。吊り金具４は、座金４Ａ、ナット４Ｂを介して吊りボルト１にネジ止めされる（図６参照）。また、従来のようにケーブルダクト３を仮止めする必要がないので、吊り金具４を固定する吊りボルト１と、前記吊杆部材２を固定した吊りボルト１とを兼用することが可能になった。この結果吊りボルト１が短くなり、施工後に切断する必要がなくなると共に、固定アンカー１Ａの打設工程が１回で済むため、工期の短縮を可能とし工事全体の騒音を少なくする効果もある。
【００２１】
図３は、ダクト布設工程を示す。この工程では、固定されたケーブルダクト３に隣接する他のケーブルダクト３を接続する作業になる。図示例では、固定されたケーブルダクト３の端部外側面と隣接する他のケーブルダクト３の端部外側面とに重合して接続する継ぎ金具６を使用している（図７参照）。すなわち、継ぎ金具６をケーブルダクト３の端部外側面に当て、ケーブルダクト３内部から継ぎ金具６にボルト６Ａを挿通しナット６Ｄを配して固定する。このとき、ケーブルダクト３と継ぎ金具６とを接続するボルトに角根ボルト６Ａを使用し、継ぎ金具６側に歯付座金６Ｂと平座金６Ｃ、ナット６Ｄを配して接続している。このように接続することで、接続する相互のケーブルダクト３に十分な導通効果が得られる。
【００２２】
図４は、ケーブルラック３相互に接続した継ぎ金具６を下方から持して前記吊りボルト１に固定する継目用吊り金具７を示している。この継目用吊り金具７は、ケーブルダクト３の継ぎ金具６で接続した部分が吊りボルト１の位置に重なる場合に使用するもので、この継目用吊り金具７を用いることにより、継ぎ金具６のボルトやナットを避けて取り付けることができる。また、ケーブルダクト３の継ぎ目の強度を高める効果もある。この継目用吊り金具７は、継ぎ金具６を覆い、吊りボルト１を貫通させて座金７Ａ、ナット７Ｂをネジ止めし、スパナ等で締め付ける。
【００２３】
図８乃至図１０は、梁Ｒの垂直面に布設する梁巻きダクト１０を示している。この梁巻きダクト１０は、梁Ｒの垂直側面に沿って配線されたケーブルＱを側面から囲むもので、梁Ｒ側面上部に固定される上部ダクト体１１と、梁Ｒ側面下部に固定される下部ダクト体１２とからなる。これらの固定ダクト体１１とスライド体１２とを上下スライド自在に設けてある（図１０参照）。そして、上部ダクト体１１、下部ダクト体１２は、夫々左右一対のアンカーボルト１３にて、夫々梁Ｒ側面に固定されている。
【００２４】
この梁巻きダクト１０は、スラブＰ下面に布設したケーブルダクト３や、梁Ｒ下面に布設したケーブルダクト３とにアースボンド線１３によって導通接続している（図９参照）。図示例では、各ケーブルダクト３及び、上部ダクト体１１、下部ダクト体１２夫々にボルト端子Ｓを設け、各ボルト端子Ｓにアースボンド線１４を連結している。このボルト端子Ｓは、ボルトＳ１、歯付座金Ｓ２、ナットＳ３、平座金Ｓ４、袋ナットＳ５で構成している。
【００２５】
図１１及び図１２は、梁巻きダクト１０の装着工程を示している。まず、スラブＰ下面に布設するケーブルダクト３を、梁Ｒの側面までの間隔を100mm程度あけて布設する（図１１（イ）参照）。次に、梁Ｒの下にケーブルダクト３を取り付ける。この場合、アンカーボルト１３にてケーブルダクト３を梁Ｒ下に直接固定する（同図（ロ）参照）。このとき、ケーブルダクト３の開放両端部を、梁Ｒの側面から50mm程度突出するように固定する。更に、梁Ｒの側面に梁巻きダクト１０を装着する（同図（ハ）参照）。この場合、梁Ｒ下のケーブルダクト３を覆うようにして下部ダクト体１２を装着し、アンカーボルト１３で固定する。
【００２６】
続いて図１２に示す如く、下部ダクト体１２にカバー体１２Ａをネジ１２Ｂにて取り付け、下部ダクト体１２の開口部を塞ぐ（同図（イ）参照）。最後に、上部ダクト体１１をアンカーボルト１３にて取り付ける（同図（ロ）参照）。この際、下部ダクト体１２の上から上部ダクト体１１を被せ、スラブＰの下面に布設したケーブルダクト３のレベルに合わせて上部ダクト体１１を取り付ける。
【００２７】
図１３は、梁巻きダクト１０の代わりに上下ベンドダクト２０を使用した施工例を示している。この施工では、スラブＰ下面のケーブルダクト３開放端部から梁Ｒ側面までの距離ｄ1、ｄ2と、この距離に布設する上下ベンドダクト２０の布設角度θを計測する（同図（イ）参照）。次に、梁Ｒの下にケーブルダクト３を取り付ける。この場合、アンカーボルト１３にてケーブルダクト３を直接梁Ｒ下に固定する（同図（ロ）参照）。このとき、ケーブルダクト３の開放両端部を、梁Ｒの側面から100mm程度突出するように固定する。最後に、上下のケーブルダクト３に上下ベンドダクト２０を連結する（同図（ハ）参照）。上下ベンドダクト２０とケーブルダクト３との連結は、アウトサイドベンド継金具２０Ａと、インサイドベンド継金具２０Ｂとを使用し、同図（イ）で計測した角度θに合わせて連結している。
【図面の簡単な説明】
【００２８】
【図１】（イ）乃至（ハ）は、ケーブル先行配線工程を示す工程図。
【図２】本発明のダクト装着工程を示す正面図。
【図３】本発明のダクト布設工程を示す正面図。
【図４】本発明の継目用吊り金具を示す正面図。
【図５】本発明のケーブル先行配線工程で配線した一実施例を示す要部斜視図。
【図６】本発明のダクト装着工程で装着したケーブルダクトを示す要部斜視図。
【図７】本発明のダクト布設工程で接続されたケーブルダクトを示す要部斜視図。
【図８】本発明の梁巻きダクトの装着状態を示す側面図。
【図９】本発明の梁巻きダクトを示す分解斜視図。
【図１０】本発明の梁巻きダクトの装着状態を示す正面図。
【図１１】（イ）乃至（ハ）は、本発明の梁巻きダクト装着工程を示す工程図。
【図１２】（イ）及び（ロ）は、本発明の梁巻きダクト装着工程を示す工程図。
【図１３】（イ）乃至（ハ）は、本発明の他の梁巻きダクトの装着工程を示す工程図。
【符号の説明】
【００２９】
Ｐ  スラブ
Ｑ  ケーブル
Ｒ  梁
Ｓ  ボルト端子      Ｓ１ボルト
Ｓ２  歯付座金
Ｓ３  ナット
Ｓ４  平座金
Ｓ５  袋ナット
１  吊りボルト      １Ａ固定アンカー
１Ｂ  座金
１Ｃ  ナット
２  吊杆部材        ２Ａ  開口部
３  ケーブルダクト
４  吊り金具        ４Ａ  座金
４Ｂ  ナット
５  ケーブル結束具  ５Ａ  係止具
５Ｂ  ナイロンバンド
６  継ぎ金具        ６Ａ  角根ボルト
６Ｂ  歯付座金
６Ｃ  平座金
６Ｄ  ナット
７  継目用吊り金具
１０  梁巻きダクト
１１  上部ダクト体
１２  下部ダクト体  １２Ａ  カバー体
１３  アンカーボルト
１４  アースボンド線
２０  上下ベンドダクト
２１  アウトサイドベンド継金具
２２  インサイドベンド継金具
【図１】
2004305000.tif 000003
【図２】
2004305000.tif 000004
【図３】
2004305000.tif 000005
【図４】
2004305000.tif 000006
【図５】
2004305000.tif 000007
【図６】
2004305000.tif 000008
【図７】
2004305000.tif 000009
【図８】
2004305000.tif 000010
【図９】
2004305000.tif 000011
【図１０】
2004305000.tif 000012
【図１１】
2004305000.tif 000013
【図１２】
2004305000.tif 000014
【図１３】
2004305000.tif 000015